(57)【要約】【課題】一定の傾きで上昇及び下降する三角波を生成する。【解決手段】三角波発生装置は、コンデンサと、一定電流を出力する電流源と、リセット電圧出力回路と、充放電制御回路と、充放電回路とを備え、コンデンサの電圧波形を三角波として出力する。リセット電圧出力回路は、パルス信号を受け、パルス信号の立ち上がりまたは立ち下がりに同期して、パルス信号の１周期より短い所定期間、第１リセット電圧を出力し、所定期間の経過後、第２リセット電圧を出力する。充放電制御回路は、第１リセット電圧を受けて瞬間放電電圧を出力し、第２リセット電圧を受けて放電防止電圧を出力する。充放電回路は、放電防止電圧を受けて、電流源からの一定電流をコンデンサに供給させてコンデンサに電荷を蓄積させ、かつ瞬間放電電圧を受けて、コンデンサに蓄積された電荷を時間軸に対し垂直とみなせる傾きで放電させる。【選択図】　　　図１
2004104645.tif 000002
【特許請求の範囲】
【請求項１】
コンデンサの電圧波形を三角波として出力とする三角波発生装置において、
一定電流を出力する電流源と、
同期信号を受け、前記同期信号の立ち上がりまたは立ち下がりに同期して、前記同期信号の１周期より短い所定期間、第１リセット電圧を出力し、前記所定期間の経過後、第２リセット電圧を出力するリセット電圧出力回路と、
前記第１リセット電圧を受けて瞬間放電電圧を出力し、前記第２リセット電圧を受けて放電防止電圧を出力する充放電制御回路と、
前記放電防止電圧を受けて、前記一定電流を前記コンデンサに供給させて前記コンデンサに電荷を蓄積させ、かつ前記瞬間放電電圧を受けて、前記コンデンサに蓄積された電荷を時間軸に対し垂直とみなせる傾きで放電させる充放電回路と
を備えていることを特徴とする三角波発生装置。
【請求項２】
請求項１記載の三角波発生装置において、
前記リセット電圧出力回路が前記第１リセット電圧を出力する前記所定期間は、前記蓄積された電荷の放電に要する時間より長い
ことを特徴とする三角波発生装置。
【請求項３】
請求項２記載の三角波発生装置において、
前記リセット電圧出力回路は、
前記同期信号を受けて、前記同期信号の立ち上がりまたは立ち下がりに同期して、前記所定期間、スイッチオン電圧を出力し、前記所定期間の経過後、スイッチオフ電圧を出力するデッドタイム信号生成回路と、
前記スイッチオン電圧を受けてオンし、前記充放電制御回路を第１リセット電圧の供給源に接続し、前記スイッチオフ電圧を受けてオフするスイッチと、
前記スイッチのオフ期間中、前記充放電制御回路に前記第２リセット電圧を入力する第２リセット電圧出力回路と
を備えていることを特徴とする三角波発生装置。
【請求項４】
請求項１記載の三角波発生装置において、
前記同期信号は、外部回路から入力されることを特徴とする三角波発生装置。
【請求項５】
請求項４記載の三角波発生装置において、
前記外部回路から入力される同期信号の周波数と同一周波数に調整可能な同期信号を生成する内部発振回路と、
前記外部回路から入力される同期信号、及び前記内部発振回路が生成する同期信号のいずれかを前記リセット電圧出力回路に入力させる選択回路と
を備えていることを特徴とする三角波発生装置。
【請求項６】
パルス幅変調信号により制御される装置の出力電圧を検出し、内部に有する三角波発生装置を用いて、前記パルス幅変調信号を生成するパルス幅変調信号生成装置であって、
前記三角波発生装置は、請求項３記載の三角波発生装置において、前記デッドタイム信号生成回路が複数の回路素子に電圧を出力可能なものであり、
基準電圧を出力する基準電圧源と、
前記装置の出力電圧を受ける第１入力端子及び前記基準電圧を受ける第２入力端子を有し、前記装置の出力電圧と前記基準電圧との差を増幅した電圧を出力する誤差増幅回路と、
前記三角波発生装置が出力する前記三角波を受ける第３入力端子及び前記誤差増幅回路の出力電圧を受ける第４入力端子を有し、前記三角波と前記誤差増幅回路の出力電圧との差に応じて、高いレベルの電圧または低いレベルの電圧を出力する比較器と、
前記比較器の出力電圧を受ける第５入力端子及び前記デッドタイム信号生成回路の出力電圧を受ける第６入力端子を有し、前記スイッチオン電圧を受ける前記所定期間において、低レベルの電圧を前記パルス幅変調信号として出力し、前記スイッチオフ電圧を受ける期間において、前記比較器の出力電圧のレベルに応じて高レベルまたは前記低レベルの電圧を前記パルス幅変調信号として出力するパルス幅変調信号出力回路と
を備えていることを特徴とするパルス幅変調信号生成装置。
【請求項７】
同期信号を生成する内部発振回路及び三角波発生装置をそれぞれ有する複数の装置を、前記複数の装置のいずれかに外部回路から入力される同期信号により外部同期で運転させるか、前記複数の装置のいずれかの前記内部発振回路が生成する同期信号により内部同期で運転させるか、前記複数の装置内で前記内部発振回路がそれぞれ生成する同期信号により非同期で運転させる外部同期／内部同期／非同期切替装置であって、
前記三角波発生装置は、請求項３記載の三角波発生装置であり、
前記外部回路から入力される同期信号、及び前記複数の装置のいずれかの前記内部発振回路が生成する同期信号を前記複数の装置に共通に入力させるために、前記複数の装置を互いに接続している共通配線と、
前記複数の装置にそれぞれ内蔵され、前記各装置内で前記三角波発生装置、前記内部発振回路、及び前記共通配線にそれぞれ接続され、外部から入力される複数の選択信号のいずれかを受けて、前記選択信号のレベルに応じて、前記外部回路から入力される同期信号を前記三角波発生装置に入力させる外部同期運転と、前記複数の装置のいずれかの前記内部発振回路が生成する同期信号を前記三角波発生装置に入力させる内部同期運転と、前記各装置内において前記各内部発振回路が生成する同期信号を前記各三角波発生装置に入力させる非同期運転とを切り替える切替回路と
を備えていることを特徴とする外部同期／内部同期／非同期切替装置。
【発明の詳細な説明】
【０００１】
【発明の属する技術分野】
本発明は、三角波発生装置に関する。また、本発明は、コンバータ等の電力変換器の制御等に用いられるパルス幅変調信号を生成するパルス幅変調信号生成装置に関する。また、本発明は、複数の装置を同期または非同期で運転させるための切替装置に関する。
【０００２】
【従来の技術】
三角波は、三角波比較法によりパルス幅変調信号（ＰＷＭ信号）を生成する場合などに用いられる（例えば、非特許文献１参照）。この三角波の発生装置として、従来より、コンデンサの充放電を繰り返すものが知られている（例えば、特許文献１、２参照）。
【０００３】
図９は、従来の三角波発生装置の一例を示している。図において、三角波発生装置１０は、出力端子１１、コンパレータ１２、スイッチＳＷ１、ＳＷ２、電圧源１４（電圧Ｖｈｉとする）、電圧源１６（電圧Ｖｌｏとする）、一定電流を供給する電流源Ｓ１、抵抗Ｒ１、Ｒ２、コンデンサＣ１、Ｃ２、入力端子１８から構成されている。図中のＶＣＣは電源線、ＶＳＳは接地線である。また、コンパレータ１２の＋側入力端子とコンデンサＣ１との接続ノードをノードＡとする。なお、スイッチＳＷ１、ＳＷ２は、コンパレータ１２の出力電圧に応じて切り替わる。具体的には、ノードＡの電圧がＶｈｉに達したとき、コンパレータ１２の出力電圧は低レベルから高レベルに切り替わり、スイッチＳＷ１は電圧源１４側から電圧源１６側に切り替わり、スイッチＳＷ２はオフ（開放）からオンに切り替わる。また、ノードＡの電圧がＶｌｏまで下がったとき、コンパレータ１２の出力電圧は高レベルから低レベルに切り替わり、スイッチＳＷ１は電圧源１６側から電圧源１４側に切り替わり、スイッチＳＷ２はオンからオフに切り替わる。
【０００４】
図１０は、図９の三角波発生装置の出力電圧の時間変化を示す説明図である。以下、上述した三角波発生装置１０の動作を説明する。
まず、同期信号が入力されない場合について説明する（図１０（ａ））。時刻ｔ０の直前まで、スイッチＳＷ１は電圧源１６側に接続されており、スイッチＳＷ２はオンしている。このため、時刻ｔ０の直前まで、コンデンサＣ１は電流源Ｓ１を通して放電している。時刻ｔ０において、コンデンサＣ１の放電により、ノードＡの電圧はＶｌｏまで下がる。これに同期して、コンパレータ１２の出力電圧は高レベルから低レベルに切り替わり、スイッチＳＷ１は電圧源１４側に切り替わり、スイッチＳＷ２はオフに切り替わる。このため、電源線ＶＣＣにより、抵抗Ｒ１を介してコンデンサＣ１は充電され始める。従って、ノードＡの電圧である三角波発生装置１０の出力電圧は上がる。
【０００５】
ノードＡの電圧がＶｈｉに達すると（時刻ｔ１）、コンパレータ１２の出力電圧は低レベルから高レベルに切り替わり、スイッチＳＷ１は電圧源１６側に切り替わり、スイッチＳＷ２はオンに切り替わる。このため、ノードＡの電圧がＶｌｏまで下がるまで、コンデンサＣ１は電流源Ｓ１を通して放電する。従って、ノードＡの電圧である三角波発生装置１０の出力電圧は下がる。ノードＡの電圧がＶｌｏまで下がると（時刻ｔ２）、以後前記した時刻ｔ０から時刻ｔ２までの動作を繰り返す。
【０００６】
次に、入力端子１８に外部から同期信号が入力される場合について説明する（図１０（ｂ））。時刻ｔ０の直前まで、スイッチＳＷ１は電圧源１６側に接続されており、スイッチＳＷ２はオンしている。このため、時刻ｔ０の直前まで、コンデンサＣ１は放電中であり、ノードＡの電圧はＶｌｏに向けて下降中である。時刻ｔ０において、同期信号は高レベルから低レベルに切り替わる。この立ち下がりエッジに同期して、コンデンサＣ１、Ｃ２を通して、ノードＡの電圧は過渡的にＶｌｏまで下がる。このため、時刻ｔ０で、スイッチＳＷ１は電圧源１４側に切り替わり、スイッチＳＷ２はオフに切り替わる。従って、電源線ＶＣＣにより抵抗Ｒ１を介してコンデンサＣ１は充電され始め、三角波発生装置１０の出力電圧は上がる。
【０００７】
時刻ｔ３において、同期信号の立ち上がりにより、入力端子１８から、コンデンサＣ１、Ｃ２を通して、ノードＡの電圧は過渡的にＶｈｉまで上がる。これに同期して、スイッチＳＷ１は電圧源１６側に切り替わり、スイッチＳＷ２はオンに切り替わる。このため、コンデンサＣ１は電流源Ｓ１を通して放電し、三角波発生装置１０の出力電圧は下がる。この後、時刻ｔ４において、同期信号が立ち下がると、以後前記した時刻ｔ０から時刻ｔ４までの動作を繰り返す。
【０００８】
【特許文献１】
特開平９−１７２３５５号公報　（第４−５項、第１図）
【特許文献２】
特開平１１−１９１７２５号公報　（第４−５項、第３図）
【非特許文献１】
リニアテクノロジー株式会社の、ＬＴＣ１５０４のデータシートインターネット＜ＵＲＬ：ｈｔｔｐ：／／ｗｗｗ．ｌｉｎｅａｒ−ｔｅｃｈ．ｃｏ．ｊｐ／ｄａｔａｓｈｅｅｔ／ｈｔｍｌ／ｊｐ＃ｐｄｆ／ｊ１５０４＃７．ｐｄｆ＞　（第１−５項、第３図）
【０００９】
【発明が解決しようとする課題】
図９に示した三角波発生装置１０では、外部からの同期信号に同期させる場合、同期信号の立ち上がり及び立ち下がりに同期して、ノードＡの電圧を瞬時に変化させている。このため、三角波の上側ピーク時及び下側ピーク時に、突起状の波形が生じてしまう。
【００１０】
また、充放電を繰り返すコンデンサＣ１の電圧を出力としているため、出力は指数関数的波形になるので、周波数やデューティ比の計算が複雑となる。
さらに、同期させる場合と、同期させない場合とで、出力される三角波の周波数が異なる。即ち、このような三角波発生装置をそれぞれ有する複数の装置を、同期させずに同時運転させた場合、各装置は互いに異なる周波数で動作する。この場合、装置間の干渉により、ノイズ及びリプルが発生してしまう。
【００１１】
ところで、ＰＷＭ信号により電力変換装置等を制御する場合、ＰＷＭ信号の各周期内にデッドタイムが必要である。これは、例えば、一石式コンバータにおいてトランスの飽和を防止したり、フルブリッジコンバータにおいて交互にオンするはずの複数のトランジスタが同時にオンすることを防止するために必要である。このため、三角波比較法によりＰＷＭ制御信号を生成する場合、三角波発生装置とは別の回路（リミッタ等）を設けることで、ＰＷＭ信号にデッドタイムを入れる必要があった。従って、パルス幅変調信号生成装置において、三角波発生装置とは別の回路を設けることなく、ＰＷＭ信号にデッドタイムを入れる技術が要望されていた。
【００１２】
本発明の目的は、一定の傾きで上昇及び下降する三角波の発生装置を提供することである。
本発明の別の目的は、ＰＷＭ信号により制御される複数の装置を同時運転させる場合に、各装置の動作周波数を容易に同期させる技術を提供することである。本発明の別の目的は、パルス幅変調信号生成装置において、三角波発生装置とは別の簡単な回路を設けるだけで、ＰＷＭ信号にデッドタイムを入れる技術を提供することである。
【００１３】
【課題を解決するための手段】
請求項１の三角波発生装置は、コンデンサと、一定電流を出力する電流源と、リセット電圧出力回路と、充放電制御回路と、充放電回路とを備え、コンデンサの電圧波形を三角波として出力する。
リセット電圧出力回路は、同期信号を受け、同期信号の立ち上がりまたは立ち下がりに同期して、同期信号の１周期より短い所定期間、第１リセット電圧を出力し、所定期間の経過後、第２リセット電圧を出力する。
【００１４】
充放電制御回路は、第１リセット電圧を受けて瞬間放電電圧を出力し、第２リセット電圧を受けて放電防止電圧を出力する。
充放電回路は、放電防止電圧を受けて、電流源からの一定電流をコンデンサに供給させてコンデンサに電荷を蓄積させる。また、充放電回路は、瞬間放電電圧を受けて、コンデンサに蓄積された電荷を時間軸に対し垂直とみなせる傾きで放電させる。
【００１５】
請求項２の三角波発生装置では、リセット電圧出力回路が第１リセット電圧を出力する所定期間は、コンデンサに蓄積された電荷の放電に要する時間より長い。
請求項３の三角波発生装置では、リセット電圧出力回路は、デッドタイム信号生成回路と、スイッチと、第２リセット電圧出力回路とを備えている。
デッドタイム信号生成回路は、同期信号を受けて、同期信号の立ち上がりまたは立ち下がりに同期して、所定期間、スイッチオン電圧を出力する。また、デッドタイム信号生成回路は、所定期間の経過後、スイッチオフ電圧を出力する。
【００１６】
スイッチは、スイッチオン電圧を受けてオンし、充放電制御回路を第１リセット電圧の供給源に接続する。また、スイッチは、スイッチオフ電圧を受けてオフする。
第２リセット電圧出力回路は、スイッチのオフ期間中、充放電制御回路に第２リセット電圧を入力する。
【００１７】
請求項４の三角波発生装置では、同期信号は、外部回路から入力される。
請求項５の三角波発生装置は、請求項４の三角波発生装置において、内部発振回路と、選択回路とを備えていることを特徴とする。なお、内部発振回路は、外部回路から入力される同期信号の周波数と同一周波数に調整可能な同期信号を生成する。また、選択回路は、外部回路から入力される同期信号、及び内部発振回路が生成する同期信号のいずれかをリセット電圧出力回路に入力させる。
【００１８】
請求項６のパルス幅変調信号生成装置は、パルス幅変調信号により制御される装置の出力電圧を検出し、内部に有する三角波発生装置を用いて、パルス幅変調信号を生成する。パルス幅変調信号生成装置は、三角波発生装置と、基準電圧を出力する基準電圧源と、誤差増幅回路と、比較器と、パルス幅変調信号出力回路とを備えている。
【００１９】
三角波発生装置は、請求項３記載の三角波発生装置において、デッドタイム信号生成回路が複数の回路素子に電圧を出力可能なものである。
誤差増幅回路は、装置の出力電圧を受ける第１入力端子及び基準電圧を受ける第２入力端子を有し、装置の出力電圧と基準電圧との差を増幅した電圧を出力する。
【００２０】
比較器は、三角波発生装置が出力する三角波を受ける第３入力端子、及び誤差増幅回路の出力電圧を受ける第４入力端子を有している。比較器は、三角波と誤差増幅回路の出力電圧との差に応じて、高いレベルの電圧または低いレベルの電圧を出力する。
【００２１】
パルス幅変調信号出力回路は、比較器の出力電圧を受ける第５入力端子及びデッドタイム信号生成回路の出力電圧を受ける第６入力端子を有している。パルス幅変調信号出力回路は、スイッチオン電圧を受ける所定期間において、低レベルの電圧をパルス幅変調信号として出力し、スイッチオフ電圧を受ける期間において、比較器の出力電圧に応じて高レベルまたは低レベルの電圧をパルス幅変調信号として出力する。
【００２２】
請求項７の外部同期／内部同期／非同期切替装置は、同期信号を生成する内部発振回路及び三角波発生装置をそれぞれ有する複数の装置を、外部同期、内部同期、非同期のいずれかで運転させる。ここで、外部同期は、複数の装置のいずれかに外部回路から入力される同期信号により、これら複数の装置を運転させるものである。内部同期は、複数の装置のいずれかの内部発振回路が生成する同期信号により、これら複数の装置を運転させるものである。非同期は、複数の装置内で内部発振回路がそれぞれ生成する同期信号により、これら複数の装置をそれぞれ運転させるものである。
【００２３】
各装置が有する三角波発生装置は、請求項３記載の三角波発生装置である。
外部同期／内部同期／非同期切替装置は、複数の装置を互いに接続している共通配線と、複数の装置にそれぞれ内蔵された切替回路とを備えている。
共通配線は、外部回路から入力される同期信号、及び複数の装置のいずれかの内部発振回路が生成する同期信号を複数の装置に共通に入力させるためのものである。
【００２４】
各切替回路は、各装置内で三角波発生装置、内部発振回路、及び共通配線にそれぞれ接続され、外部から入力される複数の選択信号のいずれかを受ける。各切替回路は、選択信号のレベルに応じて、外部回路から入力される同期信号を三角波発生装置に入力させる外部同期運転と、複数の装置のいずれかの内部発振回路が生成する同期信号を三角波発生装置に入力させる内部同期運転と、各装置内において各内部発振回路が生成する同期信号を各三角波発生装置に入力させる非同期運転とを切り替える。
【００２５】
【発明の実施の形態】
以下、図面を用いて本発明の実施形態を説明する。
図１は、本発明の第１の実施形態を示している。本実施形態は、請求項１及び請求項２に対応している。図において、三角波発生装置２０Ａは、コンデンサＣ３、電流源Ｓ２、ダイオードＤ１、コンパレータ２２、電流源Ｓ３、抵抗Ｒｔ、トランジスタＴｒ、コンデンサＣ４、入力端子２３、出力端子２４から構成されている。図中のＶＣＣは電源線、ＶＳＳは接地線である。三角波発生装置２０Ａは、外部回路（図示せず）が生成する同期信号を入力端子２３に受け、コンデンサＣ３とコンパレータ２２の−側入力端子との接続ノードの電圧を出力端子２４から出力する。外部回路は、例えば、パルスジェネレータである。また、トランジスタＴｒのベース電流をＩｂ、電流源Ｓ２が供給する一定電流をＩｓ、電流源Ｓ３が供給する一定電流をＩｔ、抵抗Ｒｔの抵抗値をＲｔとする。
【００２６】
以下、請求項と本実施形態との対応関係を説明する。なお、以下に示す対応関係は、参考のために一解釈を示すものであり、本発明を限定するものではない。
請求項記載のコンデンサは、コンデンサＣ３に対応している。
請求項記載の電流源は、電流源Ｓ２に対応している。
請求項記載のリセット電圧出力回路は、電流源Ｓ３、抵抗Ｒｔ、トランジスタＴｒ、コンデンサＣ４、入力端子２３に対応している。
【００２７】
請求項記載のリセット電圧出力回路の出力は、抵抗Ｒｔとコンパレータ２２の＋側入力端子との接続ノードの電圧に対応している。
請求項記載の第１リセット電圧は、接地線ＶＳＳの電圧に対応している。
請求項記載の第２リセット電圧は、Ｉｔ×Ｒｔに相応する電圧に対応している。
【００２８】
請求項記載の充放電制御回路は、コンパレータ２２に対応している。
請求項記載の充放電回路は、ダイオードＤ１に対応している。
図２は、三角波発生装置２０Ａの各部の電圧の時間変化を示す説明図である。以下、図１、図２を用いて、上述した三角波発生装置２０Ａの動作を説明する。時刻ｔ０において、同期信号は高レベルに切り替わる。これに同期して、トランジスタＴｒに、ベース電流Ｉｂが瞬間的に流れる。このため、トランジスタＴｒはオンし、コンパレータ２２の＋側入力端子は、接地線ＶＳＳに接続される。従って、コンパレータ２２の出力は負の飽和電圧（請求項記載の瞬間放電電圧）まで下がり、ダイオードＤ１はオンし、コンデンサＣ３は放電する。即ち、三角波発生装置２０Ａの出力電圧は下がる。
【００２９】
時刻ｔ１において、コンデンサＣ３は、ほぼ完全に放電する。このとき、トランジスタＴｒは、オンしている。即ち、時刻ｔ１以降、トランジスタＴｒがオフするまでの期間、三角波発生装置２０Ａの出力は０Ｖで一定となる。
時刻ｔ２において、ベース電流Ｉｂの減少によりトランジスタＴｒはオフする。このため、コンパレータ２２の＋側入力端子の電圧は、Ｉｔ×Ｒｔに増加する。これにより、コンパレータ２２の出力電圧は正の飽和電圧（請求項記載の放電防止電圧）まで上がり、ダイオードＤ１はオフする。従って、コンデンサＣ３は、同期信号の立ち上がりによりトランジスタＴｒが再びオンする（時刻ｔ３）まで、電流源Ｓ２が供給する一定電流Ｉｓにより充電される。以後前記した時刻ｔ０から時刻ｔ３までの動作を繰り返す。
【００３０】
なお、時刻ｔ０から流れるベース電流Ｉｂは、コンデンサＣ４の容量及びトランジスタＴｒのベース−エミッタ間抵抗により決まる時定数に従って、指数関数的に減少する。また、ベース電流Ｉｂが所定値以上の期間、トランジスタＴｒはオンしている。従って、コンデンサＣ４の容量が大きいほど、ベース電流Ｉｂは緩やかに減少し、トランジスタＴｒがオンしている時間は長くなる。そして、本実施形態では、ベース電流Ｉｂが所定値以上である期間（トランジスタＴｒがオンしている期間、即ち、請求項記載の所定期間）が、コンデンサＣ３の放電時間より長くなるように、コンデンサＣ４の容量は設定されている。
【００３１】
また、三角波のピーク電圧をＶｐｅａｋ、コンデンサＣ３の容量をＣｍ、トランジスタＴｒのオフ期間の長さをｔｏｆｆとすれば、ピーク電圧Ｖｐｅａｋは、次式で与えられる。
Ｖｐｅａｋ＝Ｉｓ×ｔｏｆｆ÷Ｃｍ・・・（１）
上式を変形すれば、次式が成り立つ。
【００３２】
Ｃｍ＝Ｉｓ×ｔｏｆｆ÷Ｖｐｅａｋ・・・（２）
そして、コンデンサＣ３の容量Ｃｍは、次式が成り立つように十分大きく設定されている。
Ｃｍ≧Ｉｓ×ｔｏｆｆ÷（Ｉｔ×Ｒｔ）・・・（３）
ここで、（２）、（３）式により、次式が成り立つ。
【００３３】
Ｖｐｅａｋ≦Ｉｔ×Ｒｔ・・・（４）
このため、トランジスタＴｒのオフ期間において、コンデンサＣ３の充電電圧が、一定電流Ｉｔと抵抗Ｒｔとの積で与えられる電圧より高くなり、コンパレータ２２が負の電圧を出力してコンデンサＣ３が放電することはない。即ち、トランジスタＴｒのオフ期間において、コンデンサＣ３は一定電流Ｉｓにより充電され続け、出力端子２４の電圧は一定の傾きで上昇し続ける。
【００３４】
以上、本実施形態の三角波発生装置２０Ａでは、一定電流Ｉｓにより充電されるコンデンサＣ３の電圧を出力とした。このため、上昇期間が直線状の三角波を生成できる。
また、同期信号の立ち上がりによるトランジスタＴｒのオンに同期して、コンパレータ２２の出力は負の飽和電圧になる。このため、コンデンサＣ３に蓄積された電荷は、この負の飽和電圧によりバイアスされて急峻に放電するので、放電時のコンデンサＣ３の電圧波形は時間軸に対してほぼ垂直になる。即ち、下降期間が直線状の三角波を生成できる。この結果、三角波の上側ピーク時及び下側ピーク時に、突起状の波形が生じることはない。
【００３５】
さらに、コンデンサＣ３の放電時間よりトランジスタＴｒのオン期間が長くなるように、コンデンサＣ４の容量を設定した。このため、下降期間の後、上昇期間に移行するまでの期間、デッドタイムを有する三角波を生成できる。デッドタイムの長さは、コンデンサＣ４の容量値を適切に選ぶことで調整可能である。例えば、コンデンサＣ４の容量を大きくし、トランジスタＴｒのオン期間を同期信号の半周期間と等しくしてもよい。この場合、三角波のデッドタイムは同期信号の半周期間とほぼ等しくなり、三角波の上昇期間は短くなるので、三角波の振幅は小さくなる。
【００３６】
図３は、本発明の第２の実施形態を示している。本実施形態は、請求項１〜請求項３に対応している。第１の実施形態と同一部分には同一符号を付し、その説明を省略する。図３に示した三角波発生装置２０Ｂは、コンデンサＣ４の代わりにデッドタイム信号生成回路２５を形成したことを除いて、第１の実施形態の三角波生成回路２０Ａと同じである。
【００３７】
デッドタイム信号生成回路２５は、入力端子２３と、抵抗Ｒｄと、コンデンサＣｄと、インバータ５６と、アンドゲート５８と、デッドタイム信号出力端子２５ａとで構成されている。抵抗ＲｄとコンデンサＣｄとの接続ノードをノードＢとする。
《請求項との対応関係》
以下、請求項と本実施形態との対応関係を説明する。なお、以下に示す対応関係は、参考のための一解釈であり、本発明を限定するものではない。
【００３８】
請求項記載のリセット電圧出力回路は、デッドタイム信号生成回路２５と、トランジスタＴｒと、電流源Ｓ３と、抵抗Ｒｔとに対応している。
請求項記載のスイッチオン電圧は、アンドゲート５８が出力する高レベルの電圧に対応している。
【００３９】
請求項記載のスイッチオフ電圧は、アンドゲート５８が出力する低レベルの電圧に対応している。
請求項記載のスイッチは、トランジスタＴｒに対応している。
請求項記載の第１リセット電圧の供給源は、接地線ＶＳＳに対応している。
請求項記載の第２リセット電圧出力回路は、電流源Ｓ３と、抵抗Ｒｔとに対応している。
【００４０】
図４は、三角波発生装置２０Ｂの各部の電圧の時間変化を示す説明図である。以下、図３、図４を用いて、上述した三角波発生装置２０Ｂの動作を説明する。
時刻ｔ０の直前において、コンデンサＣｄは放電した後であり、ノードＢの電圧は接地線ＶＳＳと同じレベルである。このため、インバータ５６は高レベルの電圧を出力している。また、アンドゲート５８は、入力端子２３から低レベルの同期信号を一方の入力端子に受けているため、低レベルの電圧を出力している。
【００４１】
時刻ｔ０において、同期信号は高レベルに切り替わる。これに同期して、インバータ５６の出力電圧は高レベルに切り替わるため、アンドゲート５８の出力電圧も高レベルに切り替わるので、トランジスタＴｒはオンする。従って、第１の実施形態の三角波発生装置２０Ａと同様に、コンデンサＣ３は、時間軸に対してほぼ垂直とみなせる傾きで放電する。同時に、コンデンサＣｄは充電され始め、ノードＢの電圧は、コンデンサＣｄの容量及び抵抗Ｒｄの抵抗値により決まる時定数に従って、指数関数的に増加する。
【００４２】
時刻ｔ１（図示せず）において、コンデンサＣ３は完全に放電し、出力端子２４の電圧は０Ｖになる。コンデンサＣ３に蓄積された電荷は、コンパレータ２２の負の飽和電圧によりバイアスされて急峻に放電するため、時刻ｔ１は時刻ｔ０の直後となる。
時刻ｔ２において、コンデンサＣｄの充電によりノードＢの電圧はインバータ５６のスレッショルド電圧（図中のＶｔｈ）に達する。このため、インバータ５６の出力電圧は低レベルに切り替わるため、アンドゲート５８の出力電圧も低レベルに切り替わるので、トランジスタＴｒはオフする。従って、第１の実施形態と同様に、コンデンサＣ３は充電され始め、出力端子２４の電圧は上がり始める。即ち、時刻ｔ１からｔ２の期間（三角波のデッドタイム）、出力端子２４の電圧は０Ｖで一定となる。
【００４３】
時刻ｔ３において、同期信号は低レベルに切り替わる。これに同期して、コンデンサＣｄは放電し始める。
時刻ｔ４において、コンデンサＣｄの放電によりノードＢの電圧はインバータ５６のスレッショルド電圧まで下がる。このため、インバータ５６の出力電圧は高レベルに切り替わる。アンドゲート５８は、入力端子２３から低レベルの同期信号を一方の入力端子に受けているため、低レベルの電圧を引き続き出力する。従って、トランジスタＴｒは、時刻ｔ２以降、時刻ｔ４の後もオフしている。即ち、コンデンサＣ３は、時刻ｔ２以降、時刻ｔ４の後も充電され続ける。
【００４４】
時刻ｔ５において、コンデンサＣｄは完全に放電する。この後、同期信号が再び高レベルに切り替わると（時刻ｔ６）、以後上述した時刻ｔ０から時刻ｔ５までの動作を繰り返す。
なお、本実施形態では、請求項記載の所定期間は、トランジスタＴｒがオンしている期間、即ち、デッドタイム信号生成回路が高レベルの電圧を出力する期間（時刻ｔ０から時刻ｔ２まで）に対応している。また、コンデンサＣ３の放電に要する時間（時刻ｔ０から時刻ｔ１まで）より、ノードＢの電圧が接地線ＶＳＳレベルからインバータ５６のスレッショルド電圧に達するまでの時間（時刻ｔ０から時刻ｔ２まで）の方が十分長くなるように、コンデンサＣｄの容量は設定されている。
【００４５】
以上、本実施形態においても、上述した第１の実施形態と同様の効果を得ることができる。本実施形態では、時刻ｔ１からｔ２の期間（三角波のデッドタイム）の長さは、コンデンサＣｄの容量と、抵抗Ｒｄの抵抗値により調整できる。即ち、コンデンサＣｄの容量が大きいほど、ノードＢの電圧は緩やかに増加するため、同期信号の立ち上がり後、インバータ５６の出力電圧が低レベルに切り替わるまでの時間（時刻ｔ０から時刻ｔ２まで）は長くなるので、三角波のデッドタイムは長くなる。
【００４６】
図５は、本発明の第３の実施形態を示している。本実施形態は、請求項１〜請求項３、請求項６に対応している。第１、第２の実施形態と同一部分には同一符号を付し、その説明を省略する。図５に示したパルス幅変調信号生成装置２６は、アンドゲート５８と、インバータ５６と、三角波発生装置２０Ｂと、コンパレータ２８と、誤差増幅器３０と、基準電圧Ｖｂを出力する基準電圧源３２とで構成されている。
【００４７】
以下、請求項と本実施形態との対応関係を説明する。なお、以下に示す対応関係は、参考のための一解釈であり、本発明を限定するものではない。
請求項記載の誤差増幅回路、第１入力端子、及び第２入力端子は、誤差増幅器３０と、その−側入力端子、及び＋側入力端子にそれぞれに対応している。
請求項記載の比較器、第３入力端子、及び第４入力端子は、コンパレータ２８と、その＋側入力端子、及び−側入力端子にそれぞれに対応している。
【００４８】
請求項記載のパルス幅変調信号出力回路は、アンドゲート５８及びインバータ５６に対応している。
請求項記載の第５入力端子は、アンドゲート５８における、コンパレータ２８の出力電圧を受ける入力端子（図示せず）に対応している。
請求項記載の第６入力端子は、インバータ５６の入力端子（図示せず）に対応している。
【００４９】
請求項記載のパルス幅変調信号は、アンドゲート５８の出力電圧に対応している。
図６は、図５のＰＷＭ信号の時間変化の一例を示す説明図である。以下、図５、図６を用いて、上述したパルス幅変調信号生成装置２６の動作を説明する。
【００５０】
誤差増幅器３０は、基準電圧Ｖｂを＋側入力端子に受け、ＰＷＭ信号により制御される装置（図示せず）の出力電圧を−側入力端子に受ける。誤差増幅器３０は、＋側及び−側入力電圧の差を増幅し、フィードバック信号として出力する。コンパレータ２８は、＋側入力端子を三角波発生装置２０Ｂの出力端子２４（図３参照）に接続され、−側入力端子を誤差増幅器３０の出力に接続される。コンパレータ２８は、図６に示すように、三角波の電圧がフィードバック信号より高い期間、正の飽和電圧を出力し、三角波の電圧がフィードバック信号より低い期間、負の飽和電圧を出力する。
【００５１】
インバータ５６は、三角波発生装置２０Ｂのデッドタイム信号出力端子２５ａ（図３参照）に接続される。このため、インバータ５６の出力電圧（アンドゲート５８の一方の入力電圧）は、三角波のデッドタイムの期間において低レベルになり、三角波におけるデッドタイムを除く期間において高レベルになる。
換言すれば、アンドゲート５８は、三角波のデッドタイムの期間において、コンパレータ２８の出力電圧に関係なく低レベルのＰＷＭ信号を出力する。また、アンドゲート５８は、三角波におけるデッドタイムを除く期間において、コンパレータ２８の出力電圧が正であれば高レベルのＰＷＭ信号を出力し、コンパレータ２８の出力電圧が負であれば低レベルのＰＷＭ信号を出力する。
【００５２】
上述したパルス幅変調信号生成装置２６では、三角波は、前記したように、同期信号の立ち上がりエッジで、最大値から最低値（０Ｖ）まで急峻に下降する。このため、誤差増幅器３０の出力電圧が正であれば、同期信号の立ち上がりエッジにより、コンパレータ２８の出力電圧が正から負に必ず切り替わるので、アンドゲート５８の出力電圧（ＰＷＭ信号）も高レベルから低レベルに切り替わる。従って、ＰＷＭ信号のトリガを容易にとることができる。
【００５３】
インバータ５６の出力電圧は、三角波のデッドタイムの期間において、低レベルになる。従って、アンドゲート５８は、三角波のデッドタイムの期間において、コンパレータ２８の出力電圧に関係なく低レベルのＰＷＭ信号を出力する。即ち、第２の実施形態の三角波発生装置２０Ｂを用いて三角波比較法によりパルス幅変調信号生成装置を設計すれば、リミッタ等の別の回路を設けることなく、デッドタイムを有するＰＷＭ信号を容易に生成できる。
【００５４】
図７は、本発明の第４の実施形態を示している。本実施形態は、請求項１〜請求項５に対応している。図において、一石式コンバータ３６は、内部回路３８と、第３の実施形態のパルス幅変調信号生成装置２６と、内部発振回路４０と、スイッチＳＷ３（請求項記載の選択回路）とで構成されている。一石式コンバータ３６は、パルス幅変調信号生成装置２６が生成するＰＷＭ信号により制御される。なお、一石式コンバータ３６の装置外には、パルス幅変調信号生成装置２６に入力するための同期信号を生成する外部発振回路４２（請求項記載の外部回路）が配置されている。外部発振回路４２は、例えば、パルスジェネレータである。
【００５５】
内部回路３８は、１次側に、トランジスタと、１次側巻線とを有している（図示せず）。また、内部回路３８は、２次側に、２次側巻線と、平滑用コンデンサと、平滑用リアクトルと、ダイオードとを有している（図示せず）。一石式コンバータの詳細な回路図は公知であるので、説明を省略する。
内部発振回路４０は、パルス幅変調信号生成装置２６に入力するための同期信号を生成する。内部発振回路４０は、この同期信号の発振周波数を変更可能であり、外部発振回路４２が出力する同期信号の発振周波数を検出する（図中の点線矢印）。そして、内部発振回路４０は、外部発振回路４２と同じ周波数で発振する。さらに、外部発振回路４２の発振周波数が変化した場合にも、内部発振回路４０は、発振周波数を、外部発振回路４２の発振周波数と同じに変更する。
【００５６】
上述した一石式コンバータ３６を単独運転させる場合、スイッチＳＷ３は、内部発振回路４０が出力する同期信号をパルス幅変調信号生成装置２６における三角波発生装置２０Ｂ（図５参照）に入力させる。一石式コンバータ３６を他のコンバータ（図示せず）と同期運転させる場合、スイッチＳＷ３は、外部発振回路４２が出力する同期信号を三角波発生装置２０Ｂに入力させる。
【００５７】
以上、本実施形態では、内部発振回路４０が出力する同期信号を、外部発振回路４２が出力する同期信号と同じ周波数にした。このため、一石式コンバータ３６の単独運転、或いは他のコンバータとの同期運転に拘わらず、一石式コンバータ３６のパルス幅変調信号生成装置２６（の三角波発生装置２０Ｂ）に入力される同期信号の周波数は同じになる。従って、単独運転、或いは他のコンバータとの同期運転に拘わらず、一石式コンバータ３６内の三角波の周波数及び振幅を同じにできる。従って、一石式コンバータ３６と他のコンバータとが互いに異なる周波数で動作して干渉することはない。この結果、一石式コンバータ３６と他のコンバータとの同時運転時にノイズ及びリプルが発生することを防止できる。
【００５８】
また、パルス幅変調信号生成装置２６が生成するＰＷＭ信号により一石式コンバータ３６は制御される。第３の実施形態で述べたように、このＰＷＭ信号の各周期内には、デッドタイムが必ず含まれる。従って、一石式コンバータ３６においてトランス（図示せず）の飽和を防止できる。
図８は、本発明の第５の実施形態を示している。本実施形態は、請求項７に対応している。図８は、本発明の外部同期／内部同期／非同期切替装置４４を、複数のフルブリッジコンバータの同時運転に適用した一例を示している。図において、各フルブリッジコンバータ４６Ａ、４６Ｂ〜４６Ｎは、内部回路４８と、前記したパルス幅変調信号生成装置２６と、内部発振回路５０と、切替回路５２とで構成され、各パルス幅変調信号生成装置２６が生成するＰＷＭ信号により制御される。なお、外部同期／内部同期／非同期切替装置４４は、全ての切替回路５２と、各切替回路５２を互いに接続している共通配線５４とで構成されている。
【００５９】
内部回路４８は、１次側に、２つずつが交互にオンする４つのトランジスタと、１次側巻線とを有している（図示せず）。また、内部回路４８は、２次側に、２次側巻線と、平滑用コンデンサと、平滑用リアクトルと、ダイオードとを有している（図示せず）。フルブリッジコンバータの詳細な回路図は、従来から知られているので、説明を省略する。
【００６０】
各切替回路５２は、スリーステートバッファＢｆ１、Ｂｆ２と、インバータ５６とで構成されている。各切替回路５２は、外部から選択信号Ａ、Ｂ〜Ｎをそれぞれ受ける。また、外部回路（図示せず）が生成する同期信号は、フルブリッジコンバータ４６Ａの切替回路５２にのみ入力される。この外部回路は、例えば、パルスジェネレータである。
【００６１】
以下、各フルブリッジコンバータ４６Ａ〜４６Ｎを外部同期、内部同期、または非同期で運転させる場合の、上述した外部同期／内部同期／非同期切替装置４４の動作を、それぞれの場合に分けて説明する。
（１）　外部同期運転
各選択信号Ａ〜Ｎを低レベルにする。このとき、各フルブリッジコンバータ４６Ａ〜４６Ｎ内において、スリーステートバッファＢｆ１の出力は、ハイインピーダンスになる。また、フルブリッジコンバータ４６ＡのスリーステートバッファＢｆ２は、外部回路からの同期信号を、フルブリッジコンバータ４６Ａのパルス幅変調信号生成装置２６に入力すると共に、共通配線５４を用いて各フルブリッジコンバータ４６Ｂ〜４６ＮのスリーステートバッファＢｆ２にも入力する。各フルブリッジコンバータ４６Ｂ〜４６ＮのスリーステートバッファＢｆ２は、共通配線５４を介して受ける同期信号を、パルス幅変調信号生成装置２６にそれぞれ入力する。従って、各フルブリッジコンバータ４６Ａ〜４６Ｎは、外部回路からの同期信号により同期運転される。
【００６２】
（２）　内部同期運転
選択信号Ａを高レベルにし、他の選択信号Ｂ〜Ｎを低レベルにする。このとき、各フルブリッジコンバータ４６Ｂ〜４６ＮのスリーステートバッファＢｆ１の出力は、ハイインピーダンスになる。また、フルブリッジコンバータ４６ＡのスリーステートバッファＢｆ１は、内部発振回路５０が出力する同期信号を、フルブリッジコンバータ４６Ａのパルス幅変調信号生成装置２６に入力すると共に、共通配線５４を用いて各フルブリッジコンバータ４６Ｂ〜４６ＮのスリーステートバッファＢｆ２にも入力する。各フルブリッジコンバータ４６Ｂ〜４６ＮのスリーステートバッファＢｆ２は、共通配線５４を介して受ける同期信号を、パルス幅変調信号生成装置２６にそれぞれ入力する。即ち、各フルブリッジコンバータ４６Ａ〜４６Ｎは、フルブリッジコンバータ４６Ａの内部発振回路５０が生成する同期信号により同期運転される。
【００６３】
（３）　非同期運転
各選択信号Ａ〜Ｎを高レベルにする。このとき、各フルブリッジコンバータ４６Ａ〜４６Ｎ内において、スリーステートバッファＢｆ１は、内部発振回路５０がそれぞれ出力する同期信号をパルス幅変調信号生成装置２６に入力する。また、各スリーステートバッファＢｆ２の出力は、ハイインピーダンスになる。即ち、各フルブリッジコンバータ４６Ａ〜４６Ｎは、各フルブリッジコンバータ４６Ａ〜４６Ｎ内の内部発振回路５０がそれぞれ生成する同期信号により、非同期で運転される。
【００６４】
以上、本実施形態の外部同期／内部同期／非同期切替装置４４では、選択信号Ａ〜Ｎのレベルを適切に変えるだけで、外部同期運転、内部同期運転、非同期運転を容易に切り替えることができる。従って、外部同期または内部同期で運転させることで、それぞれの装置（この例ではフルブリッジコンバータ４６Ａ〜４６Ｎ）の動作周波数を容易に同期させることができる。この結果、各フルブリッジコンバータ４６Ａ〜４６Ｎが互いに異なる周波数で動作して干渉し、ノイズまたはリプルが発生することを防止できる。
【００６５】
また、各フルブリッジコンバータ４６Ａ〜４６Ｎは、パルス幅変調信号生成装置２６が生成するＰＷＭ信号によりそれぞれ制御される。第３の実施形態で述べたように、これらＰＷＭ信号の各周期内には、デッドタイムが必ず含まれる。従って、各フルブリッジコンバータ４６Ａ〜４６Ｎにおいて、交互にオンするはずの複数のトランジスタ（図示せず）が同時にオンすることを防止できる。
【００６６】
なお、上述した第１の実施形態では、コンデンサＣ３の放電に要する時間よりトランジスタＴｒがオンしている時間が長くなるようにコンデンサＣ４の容量を設定し、デッドタイムを有する三角波を生成した例を述べた。本発明はかかる実施形態に限定されるものではない。例えば、コンデンサＣ３の放電に要する時間とトランジスタＴｒがオンしている時間が同じになるようにコンデンサＣ４の容量を設定してもよい。この場合、デッドタイムがなく、下降期間と上昇期間とが交互に切り替わる三角波となる。
【００６７】
上述した第１の実施形態では、同期信号の立ち上がりエッジに同期して、三角波が上昇期間から下降期間に切り替わる例を述べた。本発明はかかる実施形態に限定されるものではない。例えば、コンデンサＣ４と、入力端子２３との間にインバータを直列に接続してもよい。この場合、同期信号の立ち下がりエッジに同期して、三角波は上昇期間から下降期間に切り替わる。
【００６８】
上述した第５の実施形態では、本発明の外部同期／内部同期／非同期切替装置４４を、複数の同一装置の同時運転に適用した例を述べた。本発明はかかる実施形態に限定されるものではない。本発明の外部同期／内部同期／非同期切替装置は、例えば、一石式コンバータと、フルブリッジコンバータ等の互いに異なる複数の装置の同時運転にも適用できる。
【００６９】
上述した第５の実施形態では、全ての装置（フルブリッジコンバータ４６Ａ〜４６Ｎ）を外部同期で運転させる例と、全ての装置を内部同期で運転させる例と、全ての装置を非同期で運転させる例とを述べた。本発明はかかる実施形態に限定されるものではない。例えば、選択信号Ａ、Ｂを低レベルにし、他の全ての選択信号を高レベルにすることで、フルブリッジコンバータ４６Ａ、４６Ｂを外部同期で運転させ、他のフルブリッジコンバータを非同期で運転させてもよい。
【００７０】
【発明の効果】
本発明の三角波発生装置は、一定の傾きで上昇及び下降する三角波を生成できる。本発明の三角波発生装置は、デッドタイムを有する三角波を生成できる。このため、本発明の三角波発生装置を用いて三角波比較法によりパルス幅変調信号生成装置を設計すれば、デッドタイムを有するＰＷＭ信号を容易に生成できる。本発明の外部同期／内部同期／非同期切替装置では、複数の装置を同時運転させる場合、それぞれの装置の動作周波数を容易に同期させることができる。
【図面の簡単な説明】
【図１】本発明の第１の実施形態における三角波発生装置を示す回路図である。
【図２】図１の三角波発生装置の各部の電圧の時間変化を示す説明図である。
【図３】本発明の第２の実施形態における三角波発生装置を示す回路図である。
【図４】図３の三角波発生装置の各部の電圧の時間変化を示す説明図である。
【図５】本発明のパルス幅変調信号生成装置を示す回路図である。
【図６】図５のＰＷＭ信号の時間変化の一例を示す説明図である。
【図７】本発明の第４の実施形態を示すブロック図である。
【図８】本発明の外部同期／内部同期／非同期切替装置を、複数のフルブリッジコンバータの運転に適用した一例を示すブロック図である。
【図９】従来の三角波発生装置の一例を示す回路図である。
【図１０】図９の三角波発生装置の出力電圧の時間変化を示す説明図である。
【符号の説明】
１０　三角波発生装置
１１　出力端子
１２　コンパレータ
１４　電圧源
１６　電圧源
１８　入力端子
２０Ａ、２０Ｂ　三角波発生装置
２２　コンパレータ
２３　入力端子
２４　出力端子
２５　デッドタイム信号生成回路
２５ａ　デッドタイム信号出力端子
２６　パルス幅変調信号生成装置
２８　コンパレータ
３０　誤差増幅器
３２　基準電圧源
３６　一石式コンバータ
３８　内部回路
４０　内部発振回路
４２　外部発振回路
４４　外部同期／内部同期／非同期切替装置
４６Ａ〜４６Ｎ　フルブリッジコンバータ
４８　内部回路
５０　内部発振回路
５２　切替回路
５４　共通配線
５６　インバータ
５８　アンドゲート
Ｂｆ１、Ｂｆ２　スリーステートバッファ
Ｃ１、Ｃ２、Ｃ３、Ｃ４、Ｃｄ　コンデンサ
Ｒ１、Ｒ２、Ｒｄ、Ｒｔ　抵抗
Ｓ１、Ｓ２、Ｓ３　電流源
ＳＷ１、ＳＷ２、ＳＷ３　スイッチ
Ｔｒ　トランジスタ
【図１】
2004104645.tif 000003
【図２】
2004104645.tif 000004
【図３】
2004104645.tif 000005
【図４】
2004104645.tif 000006
【図５】
2004104645.tif 000007
【図６】
2004104645.tif 000008
【図７】
2004104645.tif 000009
【図８】
2004104645.tif 000010
【図９】
2004104645.tif 000011
【図１０】
2004104645.tif 000012